(57)【要約】【課題】起動時間を短くする車載装置および車載装置の制御方法を提供すること。【解決手段】実施形態に係る車載装置は、不揮発性メモリと、揮発性メモリと、指示部と、電力供給切替部とを備える。揮発性メモリは、バックアップ対象である第１データと、バックアップ対象外である第２データとを記憶する。指示部は、車両のスタートスイッチがＯＦＦにされたシャットダウン時に第１データを不揮発性メモリに記録させる。電力供給切替部は、シャットダウン時に、第２データのうち、所定の記憶条件を満たす有用データが揮発性メモリに記憶されている場合に、シャットダウン後にバッテリから揮発性メモリに電力供給を行う。【選択図】図１
2019016300.tif 000002
【特許請求の範囲】
【請求項１】
不揮発性メモリと、
バックアップ対象である第１データと、バックアップ対象外である第２データとを記憶する揮発性メモリと、
車両のスタートスイッチがＯＦＦにされたシャットダウン時に前記第１データを不揮発性メモリに記録させる指示部と、
前記シャットダウン時に、前記第２データのうち、所定の記憶条件を満たす有用データが前記揮発性メモリに記憶されている場合に、前記シャットダウン後にバッテリから前記揮発性メモリに電力供給を行う電力供給切替部と
を備えることを特徴とする車載装置。
【請求項２】
前記電力供給切替部は、
前記シャットダウン後に前記バッテリの電圧が所定の電圧以下になると前記電力供給を停止する
ことを特徴とする請求項１に記載の車載装置。
【請求項３】
前記指示部は、
前記第１データを前記揮発性メモリからコピーして前記不揮発性メモリに記録させること
を特徴とする請求項１または２に記載の車載装置。
【請求項４】
前記電力供給切替部は、
前記シャットダウン後に、前記有用データが前記所定の記憶条件を満たさない非有用データとなった場合には、前記電力供給を停止すること
を特徴とする請求項１〜３のいずれか一つに記載の車載装置。
【請求項５】
前記電力供給切替部は、
前記シャットダウン時に、前記有用データが前記揮発性メモリに記憶されていない場合には、前記電力供給を停止すること
を特徴とする請求項１〜３のいずれか一つに記載の車載装置。
【請求項６】
前記有用データは、所定の保存期間内の情報、または車両位置に対して所定の地理的範囲内で有効な情報に関するデータであること
を特徴とする請求項１〜５のいずれか一つに記載の車載装置。
【請求項７】
前記有用データが前記所定の記憶条件を満たさない非有用データとなる場合に、前記有用データが前記非有用データとなることを通知する通知部
を備えることを特徴とする請求項１〜６のいずれか一つに記載の車載装置。
【請求項８】
前記通知部による通知内容に対するユーザの操作を受け付ける受付部
を備え、
前記指示部は、
前記受付部によって前記有用データの保存期間を延長する操作が受け付けられた場合に、前記有用データの保存期間を延長すること
を特徴とする請求項７に記載の車載装置。
【請求項９】
前記通知部による通知内容に対するユーザの操作を受け付ける受付部
を備え、
前記指示部は、
前記受付部によって前記有用データを前記第１データとして処理する操作が受け付けられた場合に、前記有用データを前記第１データとして処理すること
を特徴とする請求項７に記載の車載装置。
【請求項１０】
車両のスタートスイッチがＯＦＦにされたシャットダウン時にバックアップ対象である第１データを不揮発性メモリに記録させる指示工程と、
前記シャットダウン時に、バックアップ対象外である第２データのうち、所定の記憶条件を満たす有用データが揮発性メモリに記憶されている場合に、前記シャットダウン後にバッテリから前記揮発性メモリに電力供給を行う電力供給切替工程と
を含むことを特徴とする車載装置の制御方法。
【発明の詳細な説明】
【技術分野】
【０００１】
開示の実施形態は、車載装置および車載装置の制御方法に関する。
【背景技術】
【０００２】
従来、データの更新指示があり、揮発性メモリに記憶するデータが更新された場合に、更新されたデータを不揮発性メモリにコピーして記憶させる車載装置が知られている（例えば、特許文献１参照）。
【先行技術文献】
【特許文献】
【０００３】
【特許文献１】特開２００６−２１８９６９号公報
【発明の概要】
【発明が解決しようとする課題】
【０００４】
しかしながら、上記車載装置では、起動時に不揮発性メモリからデータを読み出して起動するため、起動時間が長くなる。
【０００５】
実施形態の一態様は、上記に鑑みてなされたものであって、起動時間を短くする車載装置および車載装置の制御方法を提供することを目的とする。
【課題を解決するための手段】
【０００６】
実施形態の一態様に係る車載装置は、不揮発性メモリと、揮発性メモリと、指示部と、電力供給切替部とを備える。揮発性メモリは、バックアップ対象である第１データと、バックアップ対象外である第２データとを記憶する。指示部は、車両のスタートスイッチがＯＦＦにされたシャットダウン時に第１データを不揮発性メモリに記録させる。電力供給切替部は、シャットダウン時に、第２データのうち、所定の記憶条件を満たす有用データが揮発性メモリに記憶されている場合に、シャットダウン後にバッテリから揮発性メモリに電力供給を行う。
【発明の効果】
【０００７】
実施形態の一態様によれば、起動時間を短くすることができる。
【図面の簡単な説明】
【０００８】
【図１】図１は、本実施形態に係る車載装置の制御方法を説明する図である。
【図２】図２は、本実施形態に係る車載装置の概略ブロック図である。
【図３】図３は、シャットダウン時における第２スイッチのＯＮ／ＯＦＦおよび第３スイッチのＯＮ／ＯＦＦをまとめた図である。
【図４】図４は、シャットダウン後における第２スイッチのＯＮ／ＯＦＦおよび第３スイッチのＯＮ／ＯＦＦをまとめた図である。
【図５Ａ】図５Ａは、シャットダウン後に揮発性メモリに電力が供給されている状態を示す図である。
【図５Ｂ】図５Ｂは、シャットダウン後に揮発性メモリに電力が供給されない状態を示す図である。
【図６】図６は、有用データが非有用データとなる場合に表示部に表示される画像の一例を示す図である。
【図７】図７は、本実施形態に係る車載装置で実施される保存期間延長処理を説明するフローチャートである。
【図８】図８は、本実施形態に係る車載装置で実施される電力管理処理を説明するフローチャートである。
【発明を実施するための形態】
【０００９】
以下、添付図面を参照して、本願の開示する車載装置および車載装置の制御方法を説明する。なお、以下に示す実施形態によりこの発明が限定されるものではない。
【００１０】
本実施形態に係る車載装置１は、車両１００（図１参照）に搭載されたナビゲーションシステムである。なお、車載装置１は、ディスプレイオーディオや、オーディオ一体型のナビゲーションシステムなどであってもよい。
【００１１】
車載装置１は、スタートスイッチ２２（図１参照）がＯＮにされている場合には、バックアップ対象である第１データや、バックアップ対象外である第２データなどを揮発性メモリ５（図２参照）に記憶する。
【００１２】
第１データは、車両１００のスタートスイッチ２２がＯＦＦにされた場合に不揮発性メモリ４（図２参照）に記録されるデータである。第１データは、例えば、ユーザに入力された目的地に関するデータや、電話帳に関するデータなどである。
【００１３】
第２データは、車両１００のスタートスイッチ２２がＯＦＦにされた場合に不揮発性メモリ４に記録されないデータである。第２データは、例えば、店舗におけるクーポンや、割引情報や、特売情報に関するデータであり、有用データと、非有用データとを含む。
【００１４】
有用データは、所定の記憶条件を満たすデータであり、非有用データは、所定の記憶条件を満たさないデータである。具体的には、有用データは、予め設定された保存期間（所定の保存期間）内のデータであり、非有用データは、保存期間を過ぎたデータである。すなわち、第２データは、保存期間に関する情報と紐付けられており、保存期間内のデータである場合には有用データとなり、保存期間を過ぎたデータである場合には非有用データとなる。
【００１５】
保存期間は、データ毎に設定された有効期限である。なお、詳しくは後述するが、保存期間が延長された場合には、保存期間は、延長前の保存期間に保存延長期間が加算された期間となる。
【００１６】
非有用データは、予め設定された所定のタイミングで揮発性メモリ５から消去される。例えば、非有用データは、スタートスイッチ２２がＯＮにされたタイミングで消去される。
【００１７】
また、第２データには、例えば、店舗と連動したミニゲームなどにより取得した得点に応じて割引率が変わるアプリケーションが含まれてもよい。
【００１８】
次に、本実施形態に係る車載装置１の制御方法の概要について図１を参照し説明する。図１は、本実施形態に係る車載装置１の制御方法を説明する図である。
【００１９】
車載装置１は、車両１００のスタートスイッチ２２がＯＦＦにされると（Ｓ１）、揮発性メモリ５（図２参照）に記憶しているデータのうち、第１データを不揮発性メモリ４（図２参照）に記録させる（Ｓ２）。
【００２０】
なお、以下において、スタートスイッチ２２がＯＦＦにされることを「シャットダウン」と称し、スタートスイッチ２２がＯＦＦにされてから、後述する第１スイッチ２１（図２参照）がＯＦＦになるまでの期間を「シャットダウン時」と称する。また、第１スイッチ２１がＯＦＦになった後を「シャットダウン後」と称する。
【００２１】
車載装置１は、シャットダウン時に有用データが揮発性メモリ５に記憶されている場合には、シャットダウン後に鉛蓄電池などのバッテリ２０から揮発性メモリ５に電力を供給する（Ｓ３）。そのため、有用データなどは揮発性メモリ５から消去されず、揮発性メモリ５に記憶された状態で維持される。
【００２２】
このように、車載装置１は、シャットダウン時に第１データを不揮発性メモリ４に記録し、有用データを不揮発性メモリ４に記録しない。そのため、車載装置１は、スタートスイッチ２２がＯＮにされた起動時に不揮発性メモリ４からデータを読み出す場合に、読み出し時間を短くすることができ、起動時間を短くすることができる。
【００２３】
次に、本実施形態に係る車載装置１について図２を参照し説明する。図２は、本実施形態に係る車載装置１の概略ブロック図である。図２においては、電力供給ラインを実線で示し、指示や情報などの信号が伝達される信号伝達ラインを破線で示す。
【００２４】
車載装置１は、表示部２と、通信部３と、不揮発性メモリ４と、揮発性メモリ５と、第１制御部６と、第２制御部７と、第２スイッチ８と、第３スイッチ９と、レギュレータ１０Ａ〜１０Ｃとを備える。車載装置１は、バッテリ２０から電力が供給される。
【００２５】
まず、車載装置１の各構成への電力供給について説明する。第１制御部６は、バッテリ２０から常時電力が供給される。
【００２６】
表示部２、通信部３、不揮発性メモリ４および第２制御部７は、第１スイッチ２１がＯＮになるとバッテリ２０から電力が供給される。また、表示部２、通信部３、不揮発性メモリ４および第２制御部７は、第１スイッチ２１がＯＦＦになるとバッテリ２０から電力が供給されない。
【００２７】
第１スイッチ２１は、電源管理部２４からの信号に基づいてＯＮまたはＯＦＦに切り替えられるスイッチである。具体的には、第１スイッチ２１は、アクセサリスイッチである。
【００２８】
スタートスイッチ２２の操作に基づいて電源管理部２４から、第１スイッチ２１をＯＮにする信号が出力されると、第１スイッチ２１はＯＮになる。また、第１スイッチ２１をＯＦＦにする信号が電源管理部２４から出力されると、第１スイッチ２１はＯＦＦになる。第１スイッチ２１は、シャットダウンが行われた場合に、所定の終了条件を満たした後に、ＯＦＦにされる。例えば、所定の終了条件は、不揮発性メモリ４に第１データを記憶させる処理が完了することである。なお、所定の終了条件は、これに限られることはなく、予め設定されている。
【００２９】
揮発性メモリ５は、第２スイッチ８のＯＮおよびＯＦＦと、第３スイッチ９のＯＮおよびＯＦＦとが切り替えられることで、バッテリ２０からの電力供給ラインが切り替えられる。
【００３０】
第２スイッチ８は、第１スイッチ２１をバイパスしてバッテリ２０と揮発性メモリ５とを接続する電力供給ラインに設けられたスイッチである。第３スイッチ９は、第１スイッチ２１を介してバッテリ２０と揮発性メモリ５とを接続する電力供給ラインに設けられたスイッチである。
【００３１】
揮発性メモリ５は、第２スイッチ８がＯＮであり、第３スイッチ９がＯＦＦの場合には、第１スイッチ２１のＯＮ／ＯＦＦに関わらず、バッテリ２０から電力が供給される。
【００３２】
揮発性メモリ５は、第２スイッチ８がＯＦＦであり、第３スイッチ９がＯＮの場合には、第１スイッチ２１のＯＮ／ＯＦＦに対応してバッテリ２０からの電力供給が切り替えられる。すなわち、揮発性メモリ５は、第１スイッチ２１がＯＮの場合には、バッテリ２０から電力が供給される。一方、揮発性メモリ５は、第１スイッチ２１がＯＦＦの場合には、バッテリ２０から電力が供給されない。
【００３３】
次に、車載装置１の各構成について説明する。
【００３４】
表示部２は、地図情報や、車両１００（図１参照）の現在位置などを表示する。また、表示部２は、スタートスイッチ２２がＯＮとなっている停車時などに、保存期間が予め設定された所定期間よりも短くなった有用データを表示し、有用データが非有用データとなることをユーザに通知する。また、表示部２は、有用データが非有用データとなることをユーザに通知した後に、通知に対するユーザの操作を受け付ける。
【００３５】
通信部３は、ＧＰＳ（Global  Positioning  System）人工衛星から車両１００の現在位置に関する情報を受信する。また、通信部３は、有用データを外部情報センタなどから受信する。なお、通信部３は、ユーザが有する端末装置、例えば、スマートフォンや、タブレットなどと通信可能であってもよい。通信部３は、通信目的に応じて複数設けられてもよい。
【００３６】
不揮発性メモリ４は、ＳＤカードや、ＨＤＤ（Hard  Disk  Drive）などの記憶媒体である。不揮発性メモリ４は、シャットダウン時に揮発性メモリ５に記憶されていた第１データを記録する。不揮発性メモリ４は、副記憶装置として機能する。
【００３７】
揮発性メモリ５は、ＲＡＭ（Random  Access  Memory）などの記憶媒体である。揮発性メモリ５は、第１データ、第２データ（有用データおよび非有用データ）を記憶する。揮発性メモリ５は、主記憶装置として機能する。
【００３８】
レギュレータ１０Ａは、第１スイッチ２１と表示部２などとを接続する電力供給ラインに設けられ、バッテリ２０から表示部２などへの出力電圧を調整する。なお、レギュレータ１０Ａは、表示部２や、第２制御部７などの駆動電圧が異なる場合には、複数設けられてもよい。
【００３９】
レギュレータ１０Ｂは、第１スイッチ２１をバイパスし、バッテリ２０と第２スイッチ８とを接続する電力供給ラインに設けられ、バッテリ２０から揮発性メモリ５への出力電圧を調整する。
【００４０】
レギュレータ１０Ｃは、バッテリ２０と第１制御部６とを接続する電力供給ラインに設けられ、バッテリ２０から第１制御部６への出力電圧を調整する。
【００４１】
第１制御部６は、例えば、ＣＰＵ（Central  Processing  Unit）、ＲＯＭ（Read  Only  Memory）、ＲＡＭ、入出力ポートなどを有するマイクロコンピュータや各種の回路を含む。なお、第１制御部６は、一部または全部がＡＳＩＣ（Application  Specific  Integrated  Circuit）やＦＰＧＡ（Field  Programmable  Gate  Array）等のハードウェアで構成されてもよい。
【００４２】
第１制御部６は、ＲＯＭに記憶されたプログラム（図示略）をＲＡＭを作業領域として使用して実行することにより機能する複数の処理部を備える。具体的には、第１制御部６は、第１取得部１１と、第１判定部１２と、切替部１３とを備える。第１制御部６は、複数の制御部によって構成されてもよく、各処理部は複数の処理部によって構成されてもよく、統合されて構成されてもよい。
【００４３】
第１取得部１１は、スタートスイッチ２２からスタートスイッチ２２のＯＮ／ＯＦＦ、すなわちシャットダウンに関する情報を取得する。第１取得部１１は、電源管理部２４から第１スイッチ２１のＯＮ／ＯＦＦに関する情報を取得する。第１取得部１１は、電圧センサ２３からバッテリ２０の電圧に関する情報を取得する。また、第１取得部１１は、シャットダウン時に、第２制御部７から有用データの有無、および有用データの保存期間の情報を取得する。揮発性メモリ５に複数の有用データが記憶されている場合には、第１取得部１１は、有用データ毎に保存期間の情報を取得する。
【００４４】
第１判定部１２は、スタートスイッチ２２のＯＮ／ＯＦＦを判定する。すなわち、第１判定部１２は、シャットダウンの有無を判定する。第１判定部１２は、第１スイッチ２１のＯＮ／ＯＦＦを判定する。第１判定部１２は、シャットダウン後に、有用データの保存期間が過ぎたか否かを判定する。第１判定部１２は、シャットダウン後に、バッテリ２０の電圧が所定の電圧よりも高いか否かを判定する。所定の電圧は、予め設定された電圧であり、バッテリ上がりが発生することを抑制するための電圧である。
【００４５】
第１判定部１２は、第２スイッチ８をＯＮおよびＯＦＦにするか否かを判定する。第１判定部１２は、第３スイッチ９をＯＮおよびＯＦＦにするか否かを判定する。
【００４６】
具体的には、第１判定部１２は、シャットダウン時に、揮発性メモリ５に有用データが記憶されている場合、すなわち揮発性メモリ５に有用データが有る場合には、図３に示すように、第２スイッチ８をＯＮにし、第３スイッチ９をＯＦＦにすると判定する。図３は、シャットダウン時における第２スイッチ８のＯＮ／ＯＦＦおよび第３スイッチ９のＯＮ／ＯＦＦをまとめた図である。
【００４７】
また、第１判定部１２は、シャットダウン時に、揮発性メモリ５に有用データが記憶されていない場合、すなわち揮発性メモリ５に有用データが無い場合には、図３に示すように、第２スイッチ８をＯＦＦにし、第３スイッチ９をＯＮにすると判定する。
【００４８】
第１判定部１２は、シャットダウン後に、バッテリ２０の電圧が所定の電圧よりも高く、かつ揮発性メモリ５に有用データが有る場合には、図４に示すように、第２スイッチ８をＯＮにし、第３スイッチ９をＯＦＦにすると判定する。図４は、シャットダウン後における第２スイッチ８のＯＮ／ＯＦＦおよび第３スイッチ９のＯＮ／ＯＦＦをまとめた図である。
【００４９】
また、第１判定部１２は、シャットダウン後に、バッテリ２０の電圧が所定の電圧よりも高く、かつ揮発性メモリ５に有用データが無い場合には、図４に示すように、第２スイッチ８をＯＦＦにし、第３スイッチ９をＯＮにすると判定する。第１判定部１２は、シャットダウン後に、有用データの保存期間が過ぎると、有用データが非有用データとなり、揮発性メモリ５に有用データが無いと判定する。また、第１判定部１２は、複数の有用データで保存期間が異なる場合には、最も長い保存期間が過ぎると、揮発性メモリ５に有用データが無いと判定する。
【００５０】
また、第１判定部１２は、シャットダウン後に、バッテリ２０の電圧が所定の電圧以下となった場合には、第２スイッチ８をＯＦＦにし、第３スイッチ９をＯＮにすると判定する。なお、この判定は、揮発性メモリ５に有用データが有る場合にのみ行われる。これは、第１判定部１２は、バッテリ２０の電圧が所定の電圧よりも高い状態で、揮発性メモリ５に有用データが無いと判定した場合には、上記したように第２スイッチ８をＯＦＦにし、第３スイッチ９をＯＮにすると既に判定しているためである。
【００５１】
切替部１３は、第１判定部１２による判定結果に基づいて第２スイッチ８のＯＮおよびＯＦＦと、第３スイッチ９のＯＮおよびＯＦＦとを切り替える。
【００５２】
切替部１３は、シャットダウン後に、有用データが有り、バッテリ２０の電圧が所定の電圧よりも高い場合には、第２スイッチ８をＯＮにし、第３スイッチ９をＯＦＦにする。これにより、図５Ａに示すように、バッテリ２０から第２スイッチ８を介して揮発性メモリ５に電力が供給される。そのため、揮発性メモリ５は、有用データなどを記憶した状態に維持される。図５Ａは、シャットダウン後に揮発性メモリ５に電力が供給されている状態を示す図である。
【００５３】
本実施形態では、図５Ａで一点鎖線の矢印で示すような経路で電流が表示部２などに流れないように、第３スイッチ９は、ＯＦＦにされている。なお、第３スイッチ９の代わりに、ダイオードを設けてもよい。この場合、ダイオードは、アノードがレギュレータ１０Ａ側に接続され、カソードが揮発性メモリ５側に接続される。
【００５４】
また、切替部１３は、シャットダウン後に、バッテリ２０の電圧が所定の電圧以下になると、第２スイッチ８をＯＦＦにし、第３スイッチ９をＯＮにする。また、切替部１３は、シャットダウン後に、有用データが非有用データとなり、有用データが無くなった場合には、第２スイッチ８をＯＦＦにし、第３スイッチ９をＯＮにする。この場合、シャットダウン後には、第１スイッチ２１がＯＦＦになっているため、図５Ｂに示すように、バッテリ２０から揮発性メモリ５に電力が供給されなくなる。そのため、揮発性メモリ５に記憶されていた有用データなどは、消去される。図５Ｂは、シャットダウン後に揮発性メモリ５に電力が供給されない状態を示す図である。
【００５５】
また、切替部１３は、シャットダウン時に、揮発性メモリ５に有用データが記憶されていない場合には、第２スイッチ８をＯＦＦにし、第３スイッチ９をＯＮにする。これにより、その後第１スイッチ２１がＯＦＦになると、図５Ｂに示すように、バッテリ２０から揮発性メモリ５に電力が供給されなくなる。そのため、揮発性メモリ５に記憶されていた第１データなどは、消去される。
【００５６】
なお、第２スイッチ８がＯＦＦにされ、かつ第１スイッチ２１がＯＦＦにされている場合には、第３スイッチ９のＯＮ／ＯＦＦに関わらず揮発性メモリ５には、電力は供給されない。すなわち、第３スイッチ９はＯＮであってもよく、ＯＦＦであってもよい。本実施形態では、第２スイッチ８がＯＦＦの状態で第１スイッチ２１がＯＮとされた場合に揮発性メモリ５に素早く電力を供給するために、第３スイッチ９はＯＮにされている。このように、第２スイッチ８と第３スイッチ９とは排他的にＯＮ／ＯＦＦされている。
【００５７】
図２に戻り、第２制御部７は、第１制御部６と同様に、例えば、ＣＰＵ、ＲＯＭ、ＲＡＭ、入出力ポートなどを有するマイクロコンピュータや各種の回路を含む。なお、第２制御部７は、一部または全部がＡＳＩＣやＦＰＧＡ等のハードウェアで構成されてもよい。
【００５８】
第２制御部７は、ＲＯＭに記憶されたプログラム（図示略）をＲＡＭを作業領域として使用して実行することにより機能する複数の処理部を備える。具体的には、第２制御部７は、第２取得部１５と、第２判定部１６と、指示部１７とを備える。第２制御部７は、複数の制御部によって構成されてもよく、各処理部は複数の処理部によって構成されてもよく、統合されて構成されてもよい。
【００５９】
第２取得部１５は、通信部３を介して車両１００の現在位置や、有用データを取得する。第２取得部１５は、スタートスイッチ２２からスタートスイッチ２２のＯＮ／ＯＦＦに関する情報を取得する。第２取得部１５は、表示部２からユーザの操作に基づく指示信号を取得する。第２取得部１５は、シャットダウン時に揮発性メモリ５から第１データを取得する。第２取得部１５は、スタートスイッチ２２がＯＮにされる起動時に、揮発性メモリ５に第１データが記録されていない場合には、不揮発性メモリ４から第１データを取得する。第２取得部１５は、第１制御部６から第２スイッチ８のＯＮ／ＯＦＦおよび第３スイッチ９のＯＮ／ＯＦＦに関する情報を取得する。
【００６０】
第２判定部１６は、スタートスイッチ２２がＯＮの場合に、揮発性メモリ５に記憶された有用データが非有用データになるか否かを判定する。具体的には、第２判定部１６は、有用データの保存期間が所定期間よりも短くなったか否かを判定し、有用データの保存期間が所定期間よりも短くなると、有用データが非有用データになると判定する。また、第２判定部１６は、有用データの保存期間が所定期間以上である場合に、有用データが非有用データにはならないと判定する。
【００６１】
指示部１７は、取得した有用データを揮発性メモリ５に記憶させる。また、指示部１７は、非有用データを予め設定された所定のタイミングで消去する。
【００６２】
指示部１７は、シャットダウン時に、揮発性メモリ５に記憶されている第１データを揮発性メモリ５からコピーし、不揮発性メモリ４に記録させる。なお、その際、指示部１７は、揮発性メモリ５の第１データを消去しない。
【００６３】
指示部１７は、起動時に、第２スイッチ８がＯＦＦであり、第３スイッチ９がＯＮとなっている場合、すなわち揮発性メモリ５に第１データが記憶されていない場合には、不揮発性メモリ４から第１データを読み出す。そして、指示部１７は、読み出した第１データを揮発性メモリ５に記憶させる。
【００６４】
指示部１７は、有用データが非有用データになる場合には、有用データが非有用データとなることを表示部２に表示させ、有用データが非有用データとなることをユーザに通知する。これにより、表示部２には、例えば、図６に示すような画像が表示される。図６は、有用データが非有用データとなる場合に表示部２に表示される画像の一例を示す図である。
【００６５】
また、指示部１７は、有用データが非有用データとなることを表示部２に表示させた後に、表示部２によって通知内容に対するユーザの操作が受け付けられた場合には、操作に基づいて処理を行う。例えば、図６に示す画像が表示部２に表示され、ユーザが「はい」を選択（タッチ）した場合には、指示部１７は、その有用データの保存期間を予め設定された所定延長期間、延長する。また、例えば、図６に示す画像が表示部２に表示され、ユーザが「いいえ」を選択（タッチ）した場合には、指示部１７は、その有用データの保存期間を延長しない。
【００６６】
なお、第２制御部７は、詳しい説明は省略するが、ナビゲーションシステムとしての機能を発揮させるための各種処理を行う。
【００６７】
次に、本実施形態に係る車載装置１で実施される保存期間延長処理について図７を参照し説明する。図７は、本実施形態に係る車載装置１で実施される保存期間延長処理を説明するフローチャートである。
【００６８】
車載装置１は、有用データが非有用データとなるか否かを判定する（Ｓ１０）。車載装置１は、有用データが非有用データにならない場合（Ｓ１０：Ｎｏ）には、今回の処理を終了する。
【００６９】
車載装置１は、揮発性メモリ５に記憶された有用データが非有用データとなる場合（Ｓ１０：Ｙｅｓ）には、表示部２に有用データが非有用データとなることを表示する（Ｓ１１）。車載装置１は、表示部２からユーザの操作を受け付ける（Ｓ１２）。
【００７０】
車載装置１は、ユーザの操作に基づいて有用データの保存期間を延長する場合（Ｓ１３：Ｙｅｓ）には、有用データの保存期間を所定延長期間、延長する（Ｓ１４）。車載装置１は、ユーザの操作に基づいて有用データの保存期間を延長しない場合（Ｓ１３：Ｎｏ）、保存期間を延長せずに今回の処理を終了する。なお、保存期間を延長しないと判定された有用データについては、次回以降の処理で表示部２には表示されない。
【００７１】
次に、本実施形態に係る車載装置１で実施される電力管理処理について図８を参照し説明する。図８は、本実施形態に係る車載装置１で実施される電力管理処理を説明するフローチャートである。なお、シャットダウンが行われていない場合には、第２スイッチ８がＯＮとなり、第３スイッチ９がＯＦＦとなっている。
【００７２】
車載装置１は、シャットダウンが行われたか否かを判定する（Ｓ２０）。車載装置１は、シャットダウンが行われていない場合（Ｓ２０：Ｎｏ）には、今回の処理を終了する。
【００７３】
車載装置１は、シャットダウンが行われた場合（Ｓ２０：Ｙｅｓ）には、第１データを不揮発性メモリ４に記憶する（Ｓ２１）。
【００７４】
車載装置１は、揮発性メモリ５に有用データが有るか否かを判定する（Ｓ２２）。車載装置１は、揮発性メモリ５に有用データが無い場合（Ｓ２２：Ｎｏ）には、第２スイッチ８をＯＦＦにし、第３スイッチ９をＯＮにする（Ｓ２３）。
【００７５】
車載装置１は、揮発性メモリ５に有用データが有る場合（Ｓ２２：Ｙｅｓ）には、バッテリ２０の電圧が所定の電圧よりも高いか否かを判定する（Ｓ２４）。車載装置１は、バッテリ２０の電圧が所定の電圧よりも高い場合（Ｓ２４：Ｙｅｓ）には、揮発性メモリ５に有用データが有るか否かを判定する（Ｓ２２）。
【００７６】
車載装置１は、バッテリ２０の電圧が所定の電圧以下となった場合（Ｓ２４：Ｎｏ）には、第２スイッチ８をＯＦＦにし、第３スイッチ９をＯＮにする（Ｓ２３）。なお、車載装置１は、第２スイッチ８をＯＦＦにし、第３スイッチ９をＯＮにした後は、次回の起動時までその状態を維持する。
【００７７】
次に、本実施形態の効果について説明する。
【００７８】
車載装置１は、シャットダウン時に、第１データを不揮発性メモリ４に記録する。また、車載装置１は、シャットダウン時に、有用データが揮発性メモリ５に記憶されている場合に、シャットダウン後にバッテリ２０から揮発性メモリ５に電力供給を行う。これにより、次回の起動時に不揮発性メモリ４からデータを読み出して起動する場合に、不揮発性メモリ４から読み出すデータ量を少なくし、起動時間を短くすることができる。また、バッテリ２０の電圧が所定の電圧よりも高い場合には、有用データが消去されることを防止することができる。
【００７９】
車載装置１は、バッテリ２０の電圧が所定の電圧以下になると、揮発性メモリ５への電力供給を停止する。これにより、バッテリ２０の電圧が低下することを抑制することができる。
【００８０】
車載装置１は、シャットダウン時に、第１データを揮発性メモリ５からコピーして、不揮発性メモリ４に記録させる。これにより、シャットダウン後に揮発性メモリ５に電力供給を行っている場合には、次回の起動時に揮発性メモリ５に記憶されたデータを読み出して起動することができる。そのため、起動時間を短くすることができる。
【００８１】
車載装置１は、シャットダウン後に、有用データが非有用データとなった場合には、揮発性メモリ５への電力供給を停止する。これにより、バッテリ２０の電圧が低下することを抑制することができる。
【００８２】
車載装置１は、シャットダウン時に、有用データが揮発性メモリ５に記憶されていない場合には、揮発性メモリ５への電力供給を停止する。これにより、バッテリ２０の電圧が低下することを抑制することができる。
【００８３】
車載装置１は、保存期間内の第２データを有用データとして処理する。これにより、保存期間が過ぎた第２データを揮発性メモリ５に記憶させることを抑制し、有効ではない非有用データを記憶させるためにバッテリ２０の電力が消費されることを抑制することができる。そのため、バッテリ２０の電圧が低下することを抑制することができる。
【００８４】
車載装置１は、有用データが非有用データとなる場合に、有用データが非有用データとなることをユーザに通知する。これにより、保存期間が短い有用データを、ユーザに通知することができる。そのため、例えば、特売を行っている店舗情報に基づいた商品の購入をユーザに促すことができ、有用データを活用することができる。
【００８５】
車載装置１は、有用データが非有用データとなることをユーザに通知した後に、ユーザの操作により有用データの保存期間の延長が指示された場合には、保存期間を延長する。これにより、実際の有効期限が過ぎた有用データであっても、ユーザが保存を望む場合には、有用データが直ぐに消去されることを抑制することができる。そのため、例えば、特売を行っていた店舗情報などに基づいて、ユーザは商品などを購入することができ、有用データを活用することができる。
【００８６】
次に、本実施形態の変形例について説明する。なお、以下で説明する変形例を組み合わせて車載装置１に適用してもよい。
【００８７】
変形例に係る車載装置１では、複数の有用データが揮発性メモリ５に記憶されている場合に、揮発性メモリ５に記憶する複数の有用データを各保存期間に基づいて揮発性メモリ５の複数の領域に分けて記憶してもよい。具体的には、変形例に係る車載装置１は、保存期間が過ぎる順番に基づいて揮発性メモリ５の領域に分けて記憶する。
【００８８】
これにより、変形例に係る車載装置１は、シャットダウン後に保存期間が過ぎた非有用データのみが記憶されている領域への電力の供給を停止することができる。そのため、シャットダウン後における電力消費を抑制することができ、バッテリ２０の電圧低下を抑制することができ、揮発性メモリ５への電力供給が停止されることを抑制することができる。
【００８９】
また、変形例に係る車載装置１は、有用データが非有用データとなる場合に、通信部３を介してユーザの端末装置に有用データが非有用データとなることを通知してもよい。そして、ユーザの端末装置から、ユーザの操作を受け付けてもよい。
【００９０】
また、変形例に係る車載装置１は、有用データが非有用データとなることを表示部２に表示させた後に、ユーザの操作に基づいて有用データを第１データとして処理し、シャットダウン時に不揮発性メモリ４に記憶させてもよい。これにより、消去されることをユーザが希望しない有用データが、揮発性メモリ５への電力供給が停止された後に消去されることを防止することができる。
【００９１】
また、有用データは、車両位置に対して所定の地理的範囲内で有効な情報に関するデータであってもよい。すなわち、第２データは、地理的範囲に関する情報に紐付けられてもよい。所定の地理的範囲内で有効な情報は、例えば、所定の店舗におけるクーポンや、割引情報や、特売情報のうち、車両１００の現在位置から予め設定された所定半径内の店舗で有効な情報である。また、第２データは、保存期間に関する情報および地理的範囲に関する情報に紐付けられてもよい。
【００９２】
これにより、例えば、車両１００の現在位置から遠い店舗などの情報が有用データとされることを抑制し、必要がない第２データが有用データとして扱われることを抑制することができる。そのため、シャットダウン後に揮発性メモリ５への電力供給を停止する頻度を多くすることができ、バッテリ２０の電圧が低下することを抑制することができる。
【００９３】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００９４】
１      車載装置
２      表示部（受付部、通知部）
３      通信部
４      不揮発性メモリ
５      揮発性メモリ
６      第１制御部
７      第２制御部
８      第２スイッチ
９      第３スイッチ
１３    切替部（電力供給切替部）
１７    指示部
２０    バッテリ
２１    第１スイッチ
２２    スタートスイッチ
２３    電圧センサ
１００  車両
【図１】
2019016300.tif 000003
【図２】
2019016300.tif 000004
【図３】
2019016300.tif 000005
【図４】
2019016300.tif 000006
【図５Ａ】
2019016300.tif 000007
【図５Ｂ】
2019016300.tif 000008
【図６】
2019016300.tif 000009
【図７】
2019016300.tif 000010
【図８】
2019016300.tif 000011